(57)【要約】【課題】設備の設置コストを抑えてサービスを提供する。【解決手段】携帯端末１０は、駐車場３の利用開始時にゲート装置３０に接続して入庫日時を取得する。ゲート装置３０は、携帯端末１０が接続すると、ゲートバー３１を開放する。携帯端末１０は、駐車場３の利用終了時にサーバ装置２０へアクセスして入庫日時を送信して利用料金の決済処理を行い、決済が完了したことを示す情報を取得する。ユーザが駐車場３から出庫する場合、ゲート装置３０は、決済が完了したことを示す情報を携帯端末１０から取得すると、ゲートバー３１を開放してユーザの車両を通過させる。【選択図】図１
2020177324.tif 000002
【特許請求の範囲】
【請求項１】
サービスの利用開始にあたり料金を決定するための開始パラメータを特定し、
前記サービスの利用終了にあたり前記料金を決定するための終了パラメータを特定し、
前記サービスの利用者の端末から料金の決済を示す決済情報を受信し、
前記開始パラメータ、前記終了パラメータ、及び前記決済情報に基づき、前記サービスの利用に対する料金が決済されたか否かを判定する
料金管理システム。
【請求項２】
前記端末との無線接続を開始した場合に、前記開始パラメータを特定する
請求項１に記載の料金管理システム。
【請求項３】
所定空間にビーコンを発信し、該ビーコンに対する応答を前記端末から受信した場合に、前記開始パラメータを特定する
請求項１又は２に記載の料金管理システム。
【請求項４】
所定空間にビーコンを発信し、該ビーコンに対する応答及び前記決済情報を前記端末から受信した場合に、前記終了パラメータを特定する
請求項１から３のいずれか１項に記載の料金管理システム。
【請求項５】
前記サービスの利用開始にあたり前記開始パラメータを前記端末に送信する
請求項１から４のいずれか１項に記載の料金管理システム。
【請求項６】
前記サービスの利用開始にあたり前記利用者又は該利用者の所持品を拘束し、
前記サービスの利用に対する料金が決済されたと判定する場合に、
前記サービスの利用終了にあたり拘束した前記利用者又は前記所持品を開放する
請求項１から５のいずれか１項に記載の料金管理システム。
【請求項７】
前記サービスの利用に対する料金が決済されたと判定する場合に、
前記決済情報を承認した旨を前記端末に通知する
請求項１から６のいずれか１項に記載の料金管理システム。
【発明の詳細な説明】
【技術分野】
【０００１】
本発明は、料金管理システムに関する。
【背景技術】
【０００２】
駐車場における車両の入出庫管理の発明として、例えば特許文献１に開示された駐車管理システムがある。この駐車管理システムは、ナンバープレートが示す車両番号をカメラで取得し、車両の入庫情報と出庫情報を車両番号に関連付けて記憶し、記録内容に基づいて請求金額を算出する。また、駐車場管理システムは、ユーザが所持するＩＣカードから決済種別を読み取り、読み取った決済種別で請求金額の決済を行う。
【先行技術文献】
【特許文献】
【０００３】
【特許文献１】特開２００５−３４６５５１号公報
【発明の概要】
【発明が解決しようとする課題】
【０００４】
ユーザの特定にカメラを要する構成の場合、駐車場にカメラを設置する必要があり、設備の設置の手間やコストがかかることとなる。また、ＩＣカードを利用する場合、ＩＣカードのリーダの設置が必要となり、設備の設置の手間やコストがかかることとなる。
【０００５】
本発明は、設備の設置コストを抑えてサービスを提供することを目的とする。
【課題を解決するための手段】
【０００６】
本発明は、サービスの利用開始にあたり料金を決定するための開始パラメータを特定し、前記サービスの利用終了にあたり前記料金を決定するための終了パラメータを特定し、前記サービスの利用者の端末から料金の決済を示す決済情報を受信し、前記開始パラメータ、前記終了パラメータ、及び前記決済情報に基づき、前記サービスの利用に対する料金が決済されたか否かを判定する料金管理システムを、第１の態様として提供する。
【０００７】
第１の態様の料金管理システムによれば、設備の設置コストを抑えてサービスを提供することができる。
【０００８】
第１の態様の料金管理システムにおいて、前記端末との無線接続を開始した場合に、前記開始パラメータを特定する、という構成を第２の態様として採用してもよい。
【０００９】
第２の態様の料金管理システムによれば、無線接続の時点におけるパラメータを開始パラメータとすることができる。
【００１０】
また、本発明は、第１の態様又は第２の態様において、所定空間にビーコンを発信し、該ビーコンに対する応答を前記端末から受信した場合に、前記開始パラメータを特定する、という構成を第３の態様として採用してもよい。
【００１１】
第３の態様の料金管理システムによれば、所定空間に存在する端末のユーザを利用者と認識することができる。
【００１２】
また、本発明は、第１の態様から第３の態様のいずれか一の態様において、所定空間にビーコンを発信し、該ビーコンに対する応答及び前記決済情報を前記端末から受信した場合に、前記終了パラメータを特定する、という構成を第４の態様として採用してもよい。
【００１３】
第４の態様の料金管理システムによれば、ビーコンに対する応答の時点におけるパラメータを終了パラメータとすることができる。
【００１４】
また、本発明は、第１の態様から第４の態様のいずれか一の態様において、前記サービスの利用開始にあたり前記開始パラメータを前記端末に送信する、という構成を第５の態様として採用してもよい。
【００１５】
第５の態様の料金管理システムによれば、サービスの利用料金を端末で計算することができる。
【００１６】
また、本発明は、第１の態様から第５の態様のいずれか一の態様において、前記サービスの利用開始にあたり前記利用者又は該利用者の所持品を拘束し、前記サービスの利用に対する料金が決済されたと判定する場合に、前記サービスの利用終了にあたり拘束した前記利用者又は前記所持品を開放する、という構成を第６の態様として採用してもよい。
【００１７】
第６の態様の料金管理システムによれば、利用者の所持品を預かるサービスを提供することができる。
【００１８】
また、本発明は、第１の態様から第６の態様のいずれか一の態様において、前記サービスの利用に対する料金が決済されたと判定する場合に、前記決済情報を承認した旨を前記端末に通知する、という構成を第７の態様として採用してもよい。
【００１９】
第７の態様の料金管理システムによれば、決済の完了を利用者に通知することができる。
【図面の簡単な説明】
【００２０】
【図１】本発明に係る料金管理システム１の一例を示した図。
【図２】サーバ装置２０の構成を示したブロック図。
【図３】ゲート装置３０の構成を示したブロック図。
【図４】携帯端末１０の構成を示したブロック図。
【図５】実施形態の動作例を説明するためのシーケンス図。
【図６】実施形態の動作例を説明するためのシーケンス図。
【図７】実施形態の動作例を説明するためのシーケンス図。
【発明を実施するための形態】
【００２１】
［実施形態］
（実施形態の構成）
図１は、本発明に係る料金管理システム１の一例を示した図である。料金管理システム１は、駐車場３の利用料金を管理するシステムである。通信網２は、音声通信やデータ通信などの通信サービスを提供する通信網である。通信網２は、インターネットや固定電話網、移動体通信網などを含む。
【００２２】
携帯端末１０は、通信網２を介して通信を行うコンピュータ装置である。携帯端末１０は、本発明に係る利用者の端末の一例である。携帯端末１０は、例えばスマートフォンであり、駐車場３の利用者が使用する。携帯端末１０は、スマートフォンに限定されるものではなく、通信網２を介して通信を行うタブレット端末やフィーチャフォン、データ通信に特化したコンピュータ装置などであってもよい。携帯端末１０は、通信網２の無線基地局と通信を行い、音声通信やデータ通信を行う。また、携帯端末１０は、近距離無線通信の機能を備えており、例えば、例えばＢｌｕｅｔｏｏｔｈ（登録商標）の拡張仕様の一つであるＢＬＥ（Bluetooth Low Energy）の通信を行う。
【００２３】
サーバ装置２０は、駐車場３の利用料金を管理する装置である。サーバ装置２０は、携帯端末１０のユーザが駐車場３を利用した時間に基づいて利用料金を算出し、駐車料金の決済を行う。
【００２４】
駐車場３は、複数の車室４を有する駐車場である。駐車場３を運営する事業者は、複数の車室４を時間貸しするサービスを提供する。駐車場３においては、駐車場３の出入口において車両の通行を規制するゲート装置３０、駐車場３の出入口の外側にて車両を検知する車両検知器４１及び駐車場３の出入口の内側にて車両を検知する車両検知器４２が設置されている。ゲート装置３０は、車両の通行を規制するゲートバー３１を有し、ゲートバー３１の開放により車両を通過させ、ゲートバー３１の閉鎖により車両の通行を規制する。また、ゲート装置３０は、近距離無線通信の機能を備えており、ＢＬＥの通信により携帯端末１０と通信を行う。
【００２５】
車両検知器４１、４２は、例えばループコイル式検知器であり、地中に設置されてゲート装置３０に接続されている。車両検知器４１、４２は、ループコイルに電流を流すことにより周辺領域に磁界を発生している。ループコイルにより生じた磁界内に車両が入ると、車両の金属部分によって磁界に変動が生じる。車両検知器４１、４２は、磁界の変動を検知することにより、車両検知器４１、４２の上に車両があることを検知する。車両検知器４１、４２は、車両を検知すると、車両を検知したことを示す検知信号をゲート装置３０へ出力する。
【００２６】
（サーバ装置２０の構成）
図２は、サーバ装置２０の構成を示したブロック図ある。通信部２０５は、通信網２を介したデータ通信を行う通信インターフェースである。記憶部２０２は、ハードディスク装置を有し、駐車場３の利用に係る情報を記憶する。記憶部２０２は、例えば駐車場３の利用に係る利用情報として、駐車場３のユーザの識別子であるユーザＩＤ、駐車場３を識別する駐車場ＩＤ、入庫日時、出庫日時、利用料金を記憶する。また、記憶部２０２は、駐車場３の利用料金の算出と決済を行う機能を実現するプログラムを記憶する。
【００２７】
制御部２０１は、ＣＰＵ（Central Processing Unit）を有し、記憶部２０２に記憶されているプログラムを実行する。ＣＰＵがプログラムを実行することにより、駐車場３の利用料金の算出と決済を行う機能が実現する。
【００２８】
計算部２００１は、入庫日時、出庫日時、単位時間あたりの利用料金に基づいて、駐車場３の利用料金を算出する。決済部２００２は、駐車場３の利用料金の決済処理を行う。情報送信部２００３は、利用料金を示す情報や、利用料金の決済が完了したことを示す情報を携帯端末１０へ送信する。情報取得部２００４は、携帯端末１０から送信された情報を取得する。
【００２９】
（ゲート装置３０の構成）
図３は、ゲート装置３０の構成を示したブロック図である。通信部３０５は、通信網２を介した通信を行う通信インターフェースである。記憶部３０２は、不揮発性メモリであり、ゲート装置３０が設置されている駐車場３を識別する駐車場ＩＤを記憶する。また、記憶部３０２は、制御部３０１が実行するプログラムを記憶する。近距離通信部３０６は、近距離無線通信を行う通信モジュールである。近距離通信部３０６は、ＢＬＥの通信を行い、携帯端末１０と近距離無線通信を行う。駆動部３０３は、ゲートバー３１を駆動し、ゲートバー３１を上昇又は下降させる。制御部３０１は、ＣＰＵを有し、記憶部３０２に記憶されているプログラムを実行して各部を制御する。
【００３０】
ビーコン部３００１は、近距離通信部３０６を制御し、アドバタイジングパケットを含むビーコンを送信する。情報提供部３００２は、各種情報を携帯端末１０へ提供する。ゲート制御部３００３は、駆動部３０３を制御してゲートバー３１を駆動する。判定部３００４は、携帯端末１０から送信された情報を判定する。
【００３１】
図４は、携帯端末１０の構成を示したブロック図である。通信部１０５は、通信網２を介した通信を行う通信インターフェースである。近距離通信部１０６は、ＢＬＥの通信を行い、ゲート装置３０と近距離無線通信を行う。記憶部１０２は、不揮発性メモリであり、ユーザを識別するユーザＩＤを記憶する。また、記憶部１０２は、制御部１０１が実行するアプリケーションプログラムを記憶する。タッチパネル１０３は、液晶ディスプレイなどの表示装置と、表示装置の表示面において指の接触を検出するセンサとを組み合わせた装置である。タッチパネル１０３は、文字やＧＵＩ（Graphical User Interface）を表示する。また、タッチパネル１０３は、ユーザが指で触れた位置をセンサで検出する。
【００３２】
制御部１０１は、ＣＰＵを有し、タッチパネル１０３が検出した位置と、タッチパネル１０３に表示されている画面に応じてユーザの操作を特定し、特定した操作に応じて各部の制御や各種処理を実行する。また、制御部１０１のＣＰＵは、記憶部１０２に記憶されているアプリケーションプログラムを実行する。ＣＰＵがアプリケーションプログラムを実行することにより、駐車場３の利用に係る機能が実現する。
【００３３】
接続部１００１は、近距離通信部１０６を制御してゲート装置３０に接続する。情報取得部１００２は、ゲート装置３０が送信する情報やサーバ装置２０が送信する情報を取得する。決済指示部１００３は、駐車場３の利用料金の決済をサーバ装置２０に指示する。情報提供部１００４は、各種情報をサーバ装置２０又はゲート装置３０へ提供する。
【００３４】
（実施形態の動作例）
次に実施形態の動作例について説明する。図５は、ユーザが駐車場３に入庫するときの動作例を説明するためのシーケンス図である。携帯端末１０のユーザは、駐車場３に入庫する場合、携帯端末１０でアプリケーションプログラムを起動し（ステップＳＡ１）、車両を運転してゲート装置３０に近づく。携帯端末１０は、アドバタイジングパケットを含むビーコンのスキャンを開始する（ステップＳＡ２）。
【００３５】
車両がゲート装置３０に近づき、車両検知器４１が発生する磁界に車両が入ると、車両検知器４１は、検知信号をゲート装置３０へ出力し、ゲート装置３０は、車両検知器４１が出力した検知信号を取得する（ステップＳＡ３）。ゲート装置３０のビーコン部３００１は、車両検知器４１から検知信号を取得すると、ＢＬＥのアドバタイジングパケットを含むビーコンを予め定められた周期で送信する（ステップＳＡ４）。ここで、ビーコンの電波強度は予め定められており、車両検知器４１及び車両検知器４２を含む所定空間内にビーコンが発信される。車両検知器４１が車両を検知する位置においては、携帯端末１０は、ビーコンの送信範囲内に到達してビーコンを受信する（ステップＳＡ５）。携帯端末１０の接続部１００１は、ゲート装置３０が送信するビーコンを受信すると、このビーコンに応答し、ＢＬＥの通信でゲート装置３０に無線接続する（ステップＳＡ６）。
【００３６】
携帯端末１０は、ゲート装置３０に無線接続すると、入庫情報をゲート装置３０に要求する（ステップＳＡ７）。ゲート装置３０の情報提供部３００２は、携帯端末１０からの要求（すなわち、発信したビーコンに対する応答）に応じて入庫情報を携帯端末１０へ送信する（ステップＳＡ８）。入庫情報は、ゲート装置３０と携帯端末１０が接続した日時である入庫日時と駐車場ＩＤを含む。例えば、ゲート装置３０の制御部３０１は、携帯端末１０との無線接続を開始した日時を入庫日時として特定して入庫情報に含める。携帯端末１０の情報取得部１００２は、入庫情報を受信する。携帯端末１０は、記憶しているユーザＩＤと、受信した入庫情報をサーバ装置２０へ送信する（ステップＳＡ９）。サーバ装置２０の情報取得部２００４は、携帯端末１０から送信されたユーザＩＤと入庫情報を受信し、ユーザＩＤと入庫情報を対応付けて記憶する（ステップＳＡ１０）。
【００３７】
また、ゲート装置３０は、入庫情報を送信すると、ゲート制御部３００３が駆動部３０３を制御してゲートバー３１を開放する（ステップＳＡ１１）。携帯端末１０のユーザは、車両を運転して出入口を通過する。車両検知器４２が発生する磁界に車両が入ると、車両検知器４２は、検知信号をゲート装置３０へ出力し、ゲート装置３０は、車両検知器４２が出力した検知信号を取得する（ステップＳＡ１２）。ゲート装置３０のゲート制御部３００３は、車両検知器４２から検知信号を取得すると、駆動部３０３を制御してゲートバー３１を閉鎖する（ステップＳＡ１３）。
【００３８】
図６は、駐車場３の利用料金の決済を行うときの動作を説明するためのシーケンス図である。携帯端末１０のユーザは、車両を駐車場３から出庫する場合、アプリケーションプログラムを実行している携帯端末１０において、決済の開始を指示する操作を行う。携帯端末１０は、決済の開始を指示する操作が行われると、サーバ装置２０に接続し（ステップＳＢ１）、記憶しているユーザＩＤを情報提供部１００４がサーバ装置２０へ送信する（ステップＳＢ２）。サーバ装置２０の情報取得部２００４は、ユーザＩＤを受信し、受信したユーザＩＤに対応付けて、ユーザＩＤを受信した日時を特定し、この日時を出庫日時として記憶する（ステップＳＢ３）。
【００３９】
サーバ装置２０の計算部２００１は、受信したユーザＩＤに対応付けて記憶されている入庫情報に含まれている入庫日時から、受信したユーザＩＤに対応付けて記憶されている出庫日時までの経過時間を計算し、計算した経過時間と単位時間あたりの利用料金により、駐車場３の利用料金を計算する（ステップＳＢ４）。入庫日時は、本発明に係る開始パラメータの一例であり、出庫日時は、本発明に係る終了パラメータの一例である。サーバ装置２０は、計算した利用料金をユーザＩＤに対応付けて記憶し（ステップＳＢ５）、情報送信部２００３は、計算した利用料金を示す料金情報を携帯端末１０へ送信する（ステップＳＢ６）。
【００４０】
携帯端末１０は、料金情報を受信し、受信した料金情報が示す利用料金をタッチパネル１０３に表示する（ステップＳＢ７）。ユーザは、携帯端末１０において、利用料金の決済を指示する操作を行う。料金の決済については、例えばクレジットカード決済を利用する。携帯端末１０の決済指示部１００３は、決済を指示する操作が行われると、ユーザＩＤを含み決済を指示する決済メッセージをサーバ装置２０へ送信する（ステップＳＢ８）。サーバ装置２０の決済部２００２は、決済メッセージを受信すると、決済メッセージに含まれているユーザＩＤに対応付けて記憶されている利用料金について、ユーザのクレジットカードによる周知の決済処理を行う（ステップＳＢ９）。サーバ装置２０の情報送信部２００３は、利用料金の決済処理を終えると、利用料金の決済が完了したことを表す完了情報を携帯端末１０へ送信する（ステップＳＢ１０）。携帯端末１０の情報取得部１００２は、サーバ装置２０が送信した完了情報を受信し、サーバ装置２０は、完了情報を記憶する（ステップＳＢ１１）。完了情報は、本発明に係る決済情報の一例である。
【００４１】
図７は、ユーザが駐車場３から出庫するときの動作例を説明するためのシーケンス図である。携帯端末１０のユーザは、駐車場３から出庫する場合、携帯端末１０でアプリケーションプログラムを起動し（ステップＳＣ１）、車両を運転してゲート装置３０に近づく。携帯端末１０は、アドバタイジングパケットを含むビーコンのスキャンを開始する（ステップＳＣ２）。
【００４２】
車両がゲート装置３０に近づき、車両検知器４２が発生する磁界に車両が入ると、車両検知器４２は、検知信号をゲート装置３０へ出力し、ゲート装置３０は、車両検知器４２が出力した検知信号を取得する（ステップＳＣ３）。ゲート装置３０のビーコン部３００１は、車両検知器４２から検知信号を取得すると、ＢＬＥのアドバタイジングパケットを含むビーコンを予め定められた周期で送信する（ステップＳＣ４）。ここで、ビーコンの電波強度は予め定められており、車両検知器４１及び車両検知器４２を含む所定空間内にビーコンが発信される。車両検知器４２が車両を検知する位置においては、携帯端末１０は、ビーコンの送信範囲内に到達してビーコンを受信する（ステップＳＣ５）。携帯端末１０の接続部１００１は、ゲート装置３０が送信するビーコンを受信すると、ＢＬＥの通信でゲート装置３０に無線接続する（ステップＳＣ６）。
【００４３】
携帯端末１０の情報提供部１００４は、ゲート装置３０に無線接続すると、記憶した完了情報を含む応答をゲート装置３０へ送信する（ステップＳＣ７）。ゲート装置３０の判定部３００４は、受信した応答が含む情報が入庫日時と出庫日時に基づいて算出された料金に応じた完了情報であるか判定する。ゲート装置３０のゲート制御部３００３は、受信した情報が完了情報であると、ゲート制御部３００３が駆動部３０３を制御してゲートバー３１を開放する（ステップＳＣ８）。携帯端末１０のユーザは、車両を運転して出入口を通過する。車両検知器４１が発生する磁界に車両が入ると、車両検知器４１は、検知信号をゲート装置３０へ出力し、ゲート装置３０は、車両検知器４１が出力した検知信号を取得する（ステップＳＣ９）。ゲート装置３０のゲート制御部３００３は、車両検知器４１から検知信号を取得すると、駆動部３０３を制御してゲートバー３１を閉鎖する（ステップＳＣ１０）。
【００４４】
［変形例］
以上、本発明の一実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００４５】
本発明においては、携帯端末１０は、決済の操作が行われたときの日時を出庫日時として特定してもよい。この場合、携帯端末１０は、取得した入庫情報に含まれている入庫日時と、当該出庫日時、単位時間あたりの利用料金に基づいて駐車場３の利用料金を計算し、計算した利用料金での決済をサーバ装置２０へ指示してもよい。
【００４６】
上述した実施形態においては、ユーザＩＤと入庫情報を携帯端末１０がサーバ装置２０へ送信しているが、本発明においては、ゲート装置３０が携帯端末１０からユーザＩＤを取得し、入庫情報と取得したユーザＩＤをサーバ装置２０へ送信する構成としてもよい。
【００４７】
本発明においては、ゲート装置３０は、ステップＳＣ７で受信した情報が完了情報であると判定した場合、完了情報を承認した旨を携帯端末１０へ通知する構成であってもよい。
【００４８】
本発明においては、ステップＳＣ６で携帯端末１０とゲート装置３０とが無線接続を開始した後、ステップＳＢ２からステップＳＢ１１の処理を実行し、ステップＳＢ１１の処理を終えた後、ステップＳＣ７以降の処理を実行してもよい。
【００４９】
本発明においては、ＢＬＥの通信でゲート装置３０と携帯端末１０が近距離無線通信を行っているが、ＢＬＥの通信に限定されるものではない。例えば、携帯端末１０とゲート装置３０は、ＩＥＥＥ８０２．１１規格に準拠したデバイス間の通信で通信を行ってもよい。
【００５０】
上述した実施形態においては、駐車場３への入庫と駐車場３からの出庫が一つのゲート装置３０で規制されるが、駐車場３への入庫及び出庫を規制する構成は、実施形態の構成に限定されるものではない。例えば、駐車場３の入口と出口を別の位置にし、駐車場３への入口にゲート装置３０を設置し、駐車場３への出口にもゲート装置３０を設置する構成としてもよい。
【００５１】
本発明においては、ビーコンを用いて位置を測位する公知の技術を用いて、複数のビーコンで携帯端末１０の位置を測位してもよい。ゲート装置３０は、携帯端末１０の位置を検知していない状態から新たに検知した位置が車両検知器４１の位置である場合、ステップＳＡ４以降の処理を実行してもよい。この場合、ゲート装置３０は、検知した位置が車両検知器４２の位置となると、ゲートバー３１を閉鎖する。また、ゲート装置３０は、携帯端末１０の位置を検知していない状態から新たに検知した位置が車両検知器４２の位置である場合、ステップＳＣ４以降の処理を実行してもよい。この場合、ゲート装置３０は、検知した位置が車両検知器４１の位置となると、ゲートバー３１を閉鎖する。この変形例によれば、地中に車両検知器４１、４２を埋設せずに、容易に位置を検知し、ゲートバー３１の開放と閉鎖を行うことができる。
【００５２】
本発明においては、携帯端末１０に替えて、ＢＬＥの通信機能を備え、車両に搭載されたカーナビゲーション装置が携帯端末１０の処理を行う構成としてもよい。また、携帯端末１０が行う処理は、ユーザに携帯されない装置が行ってもよい。つまり、この処理は、例えば、ＢＬＥの通信機能を備えたスマートスピーカが行ってもよく、また、ＢＬＥの通信機能を備え、操作部を備えていない本発明に特化したコンピュータ装置やＩＣカード等であってもよい。
【００５３】
本発明において、ユーザは、車両を駐車場３から出庫するときに、アプリケーションプログラムを実行している携帯端末１０において、決済の開始を指示する操作をしていたが、決済のタイミングはこれに限られない。例えば、ユーザは、駐車場３に隣接し、駐車場３の運営会社と提携している商業施設で商品やサービスの購入をすることにより、駐車場３の利用料金の決済を行ってもよい。この場合、例えば、ユーザは、上述した商業施設に含まれるレストランで一定額以上の支払いをしたときに発生するクーポンにより、駐車場３の利用料金の決済を行ってもよい。
【００５４】
また、ユーザは、携帯端末１０を使用せずにクレジットカードにより、上述した商業施設における支払いをしてもよい。この場合、この支払いを受けた商業施設の端末は、通信網２を介して、その支払いの金額を示す情報をサーバ装置に蓄積させる。ＢＬＥの通信機能を備え、車両に搭載されたカーナビゲーション装置（すなわち、ユーザの端末）は、通信網２を介して、このサーバ装置から上述した支払いの金額を示す情報、料金の決済を示す決済情報として、受信すればよい。
【００５５】
本発明においては、料金管理システム１は、駐車場３に適用する構成に限定されるものではない。例えば、時間貸しされるカラオケルーム、ネットカフェの個室、レンタルルームに料金管理システム１を適用してもよい。この場合、時間貸しされる部屋の出入口に入室及び退室を規制するゲート装置３０を設置する構成としてもよい。また、この構成の場合、ユーザが出入口の外にいることと、出入口の中にいることを人感センサにより検知し、ユーザを検知するとビーコンの送信を開始する構成としてもよい。
【００５６】
また、例えば時間貸しされてユーザの所持品を収容するロッカーに料金管理システム１を適用してもよい。この場合、ロッカーの扉の電子錠がゲート装置３０と同様の機能を備える構成とし、ユーザが扉の近くにいることを人感センサにより検知し、ユーザを検知するとビーコンの送信を開始する構成としてもよい。すなわち、この電子錠は、ゲート装置３０がゲートバー３１を開放する代わりにロッカーの扉を開放して収容している利用者の所持品を開放し、ゲート装置３０がゲートバー３１を閉鎖する代わりにロッカーの扉を施錠して利用者の所持品を拘束する。
【００５７】
また、料金管理システム１をレンタカーのサービスに適用してもよい。料金管理システム１をレンタカーに適用する場合、サーバ装置２０は、利用開始時点と利用終了時点のガソリン残量又は充電量に基づいて利用料金を算出してもよく、また、走行距離に基づいて利用料金を算出してもよい。また、サーバ装置２０は、例えば、貸し出し時、及び返却時のレンタカーの外観をカメラ等によって撮像し、利用開始時点と利用終了時点のそれぞれのレンタカーの傷の状態を、画像解析によって解析して、その解析結果に基づいて利用料金を算出してもよい。
【００５８】
すなわち、料金管理システム１において、サーバ装置２０は、サービスの利用開始にあたり特定される開始パラメータと、サービスの利用終了にあたり特定される終了パラメータに基づいて、サービスの利用料金を算出すればよい。
【００５９】
また、料金管理システム１において、サーバ装置２０は、サービスの利用料金を決定するのであれば、この利用料金を算出しなくてもよい。例えば、駐車場３が一日単位で車室４を貸す、いわゆる「日貸し」の料金体系を採用している場合、サーバ装置２０は、入庫日、及び出庫日をそれぞれ特定する。そして、入庫日が出庫日に等しい場合に、サーバ装置２０は、その駐車場３の利用料金として、予め定められた料金を決定すればよい。
【００６０】
また、料金管理システム１をレンタカーに適用する場合、貸し出しの場所から出るときにゲート装置３０と携帯端末１０が通信を行ってゲート装置３０がゲートバー３１を駆動し、貸し出しの場所に戻るときには、ゲート装置３０と携帯端末１０が通信を行ってゲートバー３１を駆動してもよい。
【符号の説明】
【００６１】
１…料金管理システム、２…通信網、３…駐車場、４…車室、１０…携帯端末、２０…サーバ装置、３０…ゲート装置、１０１…制御部、１０２…記憶部、１０３…タッチパネル、１０５…通信部、１０６…近距離通信部、２０１…制御部、２０２…記憶部、２０５…通信部、３０１…制御部、３０２…記憶部、３０３…駆動部、３０５…通信部、３０６…近距離通信部、１００１…接続部、１００２…情報取得部、１００３…決済指示部、１００４…情報提供部、２００１…計算部、２００２…決済部、２００３…情報送信部、２００４…情報取得部、３００１…ビーコン部、３００２…情報提供部、３００３…ゲート制御部、３００４…判定部
【図１】
2020177324.tif 000003
【図２】
2020177324.tif 000004
【図３】
2020177324.tif 000005
【図４】
2020177324.tif 000006
【図５】
2020177324.tif 000007
【図６】
2020177324.tif 000008
【図７】
2020177324.tif 000009